(57)【要約】【課題】強風下においても雨水の床下空間への浸入を確実に防止して床下空間の換気を図る。【解決手段】基礎１の天端面に立設された壁フレーム２に設定間隔をおいて複数個の取付金具を固定し、この固定金具４に、下辺部に長手方向に間隔をおいて複数個の換気口５ａを形成した基礎水切り５を固定する。この基礎水切り５には、基礎１の外側面上端縁部に近接する先端部にシール部材が装着されており、そのリップ部６２が基礎１の天端面および外側面にそれぞれ密着している。このため、台風などの強風下において、基礎水切り５の下端縁を回り込んで雨水が吹き上げられ、基礎１の外側面を伝って押し上げられたとしても、基礎１の外側面上端縁部および天端面外側端縁部にそれぞれ密着するップ部によってそれ以上の雨水の浸入を防止することができる。【選択図】  図１
2010133173.tif 000002
【特許請求の範囲】
【請求項１】
基礎の天端面に下面との間に換気通路を形成して立設された複数個の壁フレームと、壁フレームに設定間隔をおいて固定された複数個の取付金具と、取付金具に連結されるとともに、下辺部に長手方向に間隔をおいて複数個の換気口が形成された基礎水切りと、基礎の外側面上端縁部に近接する基礎水切りの先端に装着されたシール部材とからなり、シール部材は、基礎の天端面および外側面にそれぞれ密着するリップ部を有することを特徴とする床下換気構造。
【請求項２】
請求項１記載の床下換気構造において、前記シール部材が壁フレームの下面と基礎の天端面間に形成された換気通路の高さ位置にほぼ到達する高さを有することを特徴とする床下換気構造。
【発明の詳細な説明】
【技術分野】
【０００１】
この発明は、床下換気構造に関するものである。
【背景技術】
【０００２】
一般に、基礎に換気口を形成し、床下空間に空気を流通させて床下空間の湿気を外部に排出し、床材、あるいは、床下に配置されている鉄骨や各種金物などの腐食を防止することが行われている。しかしながら、基礎に換気口を形成するには、基礎の強度低下を補うため、換気口周縁に特別な配筋が必要になったり、コンクリート打設時に換気口を形成するための特別な型枠が必要になり、施工が煩雑になるという問題があった。
【０００３】
このため、基礎の天端面と外壁パネルの下端面との間に隙間（換気通路）を形成し、この換気通路を利用して床下空間の換気を図ることが行われている（例えば、特許文献１，２参照）。
【特許文献１】特開２００７−２０５０８９号公報
【特許文献２】特開２００７−２８５０６７号公報
【発明の開示】
【発明が解決しようとする課題】
【０００４】
ところで、前述した床下換気構造においては、換気通路に雨水が浸入することを防止するため、外壁パネルの下端部に基礎水切りを垂設している。ここで、外観上の見栄えや外壁パネルとの調和を考慮して、基礎水切りの高さを短縮化した場合、基礎水切りの基礎の天端面の高さ位置からの垂下長さが短くなることから、台風などの強風下においては、基礎水切りの下端縁を回り込んで雨水が吹き上げられ、あるいは、基礎の外側面を伝って雨水が押し上げられ、換気通路を経て雨水が床下空間に浸入するおそれがある。雨水が床下空間に浸入すると、床下空間が高湿度となり、前述したように、床材や鉄骨などに悪影響を与えるものとなる。
【０００５】
本発明は、このような問題点に鑑みてなされたもので、基礎水切りの基礎の天端面の高さ位置からの垂下長さが短い場合であっても、強風下における雨水の床下空間への浸入を確実に防止して床下空間の換気を図ることのできる床下換気構造を提供するものである。
【課題を解決するための手段】
【０００６】
本発明は、基礎の天端面に下面との間に換気通路を形成して立設された複数個の壁フレームと、壁フレームに設定間隔をおいて固定された複数個の取付金具と、取付金具に連結されるとともに、下辺部に長手方向に間隔をおいて複数個の換気口が形成された基礎水切りと、基礎の外側面上端縁部に近接する基礎水切りの先端に装着されたシール部材とからなり、シール部材は、基礎の天端面および外側面にそれぞれ密着するリップ部を有することを特徴とするものである。
【０００７】
本発明によれば、床下空間は、基礎水切りの換気口および基礎の天端面と壁フレームの下面との間に形成される換気通路を介して外気に連通されており、床下空間の換気を図ることができる。一方、台風などの強風下において、基礎水切りの下端縁を回り込んで雨水が吹き上げられ、下辺部の換気口を通して浸入したとしても、シール部材の本体部が基礎水切りの装着部に装着されて立ち上げられていることにより、シール部材の本体部を越えることを防止することができる。また、基礎の外側面に吹き付けられた雨水が外側面を伝って押し上げられたとしても、基礎の外側面上端縁部および天端面外側端縁部にはシール部材のリップ部がそれぞれ密着していることにより、リップ部によってそれ以上の雨水の浸入を防止することができる。
【０００８】
このように、基礎水切りの基礎の天端面の高さ位置からの垂下長さが短くなったとしても、強風下において、換気通路を経て、または、基礎を伝って床下空間への雨水の浸入を確実に防止することができる。これにより、外壁パネルとの調和を図るため、あるいは、見栄えの向上を図るために、基礎水切りの高さを短縮化することが可能となる。
【０００９】
本発明において、前記シール部材が壁フレームの下面と基礎の天端面間に形成された換気通路の高さ位置にほぼ到達する高さを有することが好ましい。これにより、シール部材の本体部は換気通路を塞ぐように立ち上げられて風の通路を複雑化することができ、換気口を通して雨水が吹き上げられたとしても、シール部材を越えて換気通路に浸入することをより確実に防止することができる。
【発明の効果】
【００１０】
本発明によれば、基礎水切りの基礎の天端面の高さ位置からの垂下長さが短い場合であっても、強風下における雨水の床下空間への浸入を確実に防止して床下空間の換気を図ることができる。
【発明を実施するための最良の形態】
【００１１】
以下、本発明の実施の形態を図面に基づいて説明する。
【００１２】
図１乃至図３には、本発明の床下換気構造の一実施形態が示されている。
【００１３】
この床下換気構造は、基礎１と、基礎１に立設された複数個の壁フレーム２と、壁フレーム２に固定された外壁パネル３と、壁フレーム２に適宜の間隔をおいて止着された複数個の取付金具４と、取付金具４に連結されて外壁パネル３の下方に配設された長尺な基礎水切り５と、基礎水切り５の先端に装着されて基礎１と基礎水切り５との間を密封するシール部材６とから構成されている。
【００１４】
壁フレーム２は、断面略Ｃ字状のリップ溝形鋼からなる左右の縦桟２１および上下の横桟２２によって方形に枠組みするとともに、左右の縦桟２１間に中桟（図示せず）を配設して形成され、必要に応じてＸ字状に掛け渡されたブレースを有している。そして、壁フレーム２は、左右の縦桟２１の上下端部にそれぞれ図示しない補強プレートを溶接しており、これらの補強プレートを基礎１のアンカーボルトにナットを介して固定するとともに、２階の床梁を構成する鉄骨梁などにボルトナットを介して固定することにより、壁フレーム２を基礎１と鉄骨梁との間に固定している。さらには、左右に隣接する壁フレーム２における隣り合う縦桟２１をボルトナットを介して固定することにより、左右の壁フレーム２を相互に連結している。これにより、基礎１の天端面と壁フレーム２における下横桟２２の下面との間に補強プレートの厚みに相当する高さの隙間が形成され、この隙間を換気通路Ｓとして基礎１の内側面側の床下空間とその外側面側の外気とを連通することができる。
【００１５】
外壁パネル３は、押出成形セメント板であって、図示しない固定金具を介して壁フレーム２に固定されている。
【００１６】
取付金具４は、図３に示すように、外側垂下部４１、内側垂下部４２、これらの外側垂下部４１および内側垂下部４２の各上端縁に連設された上辺部４３および上辺部４３に上方に突出された凸部４４を有するように折曲されており、その内側垂下部４２が壁フレーム２における下横桟２２の外面にビスを介して止着されている。ここで、取付金具４の凸部４４は、その上面が壁フレーム２に固定された外壁パネル３の下端面に略接するように形成されている。
【００１７】
基礎水切り５は、図３に示すように、止着部５１、止着部５１の下端縁から外方に連設された上辺部５２、上辺部５２の外端縁から下方に連設された垂下部５３および垂下部５３の下端縁近傍から内方に連設された下辺部５４、下辺部５４の先端縁から上方および下方にそれぞれ連設された装着部５５および水切り部５５を有する長尺なアルミ押出成形品であって、止着部５１、上辺部５２、垂下部５３は、前述した取付金具４の外側半部、具体的には、凸部４４、上辺部４３、外側垂下部４１の外面形状に対応する内面形状を有するように形成されている。そして、基礎水切り５の下辺部５４には、長手方向に設定間隔をおいて長孔状の複数個の通気口５ａが形成されている。また、基礎水切り５の垂下部５３は、外壁パネル３を伝って流れ落ちる雨水が垂下部５３に達した際に、下辺部５４の換気口５ａに回り込んで浸入しないように、その下端縁が下辺部５４よりも下方に垂設されている。
【００１８】
シール部材６は、図２に詳細に示すように、前述した基礎水切り５の装着部５５に装着可能な断面略コ字状の本体部６１と、本体部６１の背面側において斜め後方および斜め下方に延設された複数個のリップ部６２とからなり、ゴムなどの軟質プラスチックから形成されている。そして、シール部材６の複数個のリップ部６２は、基礎１の外側角隅部にわたって配設されるように設定されている。すなわち、斜め後方に延設されたリップ部６２は、その先端が基礎１の天端面外側端縁部に密着するように、また、斜め下方に延設された複数個のリップ部６２は、その先端が基礎１の外側面上端縁部に密着するようにそれぞれ形成されている。また、シール部材６は、その本体部６１を基礎水切り５の装着部５５に装着した際、その上端縁が換気通路Ｓの略上面、すなわち、壁フレーム２の略下面に達する高さに形成されている。
【００１９】
なお、基礎１の内面側には、鋼製束を介して支持された鋼製大引７などを利用して断熱材８および床材９が順に敷設されるとともに、床材９上の壁フレーム２の内方には、内壁１０が立設されている（図１参照）。この場合、断熱材８の下面と基礎１の天端面との間にも一定の隙間が換気通路Ｓとして確保されている。
【００２０】
次に、このように構成された床下換気構造を施工する要領について説明する。
【００２１】
まず、基礎１に壁フレーム２を配置し、アンカーボルト−ナットを介して固定するとともに、隣接する壁フレーム２をボルト−ナットを介して相互に固定する。また、基礎１に固定された壁フレーム２に図示しない鉄骨梁を配置し、ボルト−ナットを介して固定するとともに、隣接する鉄骨梁間に鉄骨梁あるいは梁つなぎを架設し、２階の床梁を形成する。次いで、同様に、２階の床梁に壁フレーム２を固定するとともに、隣接する壁フレーム２を相互に固定した後、２階の壁フレーム２上に小屋梁を固定し、鉄骨構造体を形成する。
【００２２】
一方、１階の壁フレーム２の下横桟２２の外面に設定間隔をおいて取付金具４の内側垂下部４２を配置してビス止めした後、予め装着部５５にシール部材６の本体部６１を装着した基礎水切り５の止着部５１、上辺部５２および垂下部５３を、それぞれ取付金具４の凸部４４、上辺部４３および外側垂下部４１に密着するようにあてがい、タッピンねじを介して連結し、固定する。この際、シール部材６のリップ部６２を、基礎１の天端面外側端縁部および外側面上端縁部にそれぞれ密着するように配置する。
【００２３】
その後、１階の壁フレーム２に外壁パネル３を固定した後、外壁パネル３の下端面と基礎水切り５の上辺部５２との間にコーキング材１１およびシーリング材１２（図１参照）を順に充填し、外壁パネル３と基礎水切り５間を止水する。
【００２４】
このように構成された床下換気構造によれば、基礎水切り５の基礎１の天端面の高さ位置からの垂下長さが短くなったとしても、強風下において、床下空間に雨水が浸入するのを確実に防止することができる。すなわち、台風などの強風下において、基礎水切り５の下端縁を回り込んで雨水が吹き上げられ、下辺部５４の換気口５ａを通して基礎水切り５の内部に浸入したとしても、シール部材６の本体部６１が基礎水切り５の装着部５５に装着されて換気通路Ｓを塞ぐように立ち上げられていることにより、シール部材６の本体部６１を越えることを可及的に防止することができる。また、基礎１の外側面に吹き付けられた雨水が外側面を伝って押し上げられたとしても、基礎１の外側面上端縁部および天端面外側端縁部にはシール部材６のリップ部６２がそれぞれ密着していることにより、リップ部６２によってそれ以上の雨水の浸入を阻止することができる。したがって、外観上の見栄えや外壁パネルとの調和を考慮して基礎水切り５の高さを短縮化することが可能となる。
【００２５】
一方、通常の気候においては、床下空間は、基礎水切り５の換気口５ａおよび換気通路Ｓを介して外気に連通されており、床下空間の換気を図ることができ、床材などへの悪影響を防止して長期使用に供することが可能となる。
【００２６】
なお、前述した実施形態においては、壁フレーム２の下横桟２２に対して取付金具４をビス止めする場合を例示したが、ビス止めに限定するものではなく、例えば、クリップなどを利用してワンタッチで取り付けるようにしてもよい。
【図面の簡単な説明】
【００２７】
【図１】本発明の床下換気構造の一実施形態を示す縦断面図である。
【図２】図１のＡ部拡大図である。
【図３】図１の床下換気構造を一部分解して示す斜視図である。
【符号の説明】
【００２８】
１  基礎
２  壁フレーム
３  壁パネル
４  取付金具
５  基礎水切り
５ａ  換気口
６  シール部材
６１  本体部
６２  リップ部
Ｓ  換気通路
【図１】
2010133173.tif 000003
【図２】
2010133173.tif 000004
【図３】
2010133173.tif 000005